【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】  式（Ｆ）：
【化１】
2001516751.tif 000001
（式中、
ｍは、１〜８の数であり；
Ｚは、直接結合、−Ｏ−、−Ｓ−、−ＳＯ−、−ＳＯ2−又は−ＮＲ′14−であり；
Ｘは、１〜３００個の炭素原子及び０〜６０個のヘテロ原子を含む原子価ｍの有機アンカ−基であり；そしてｍが１ではないとき、Ｘは、直接結合、ＳＯ2、Ｐ又はＰＯでもよく；
Ａ′は、１個の結合基を含む式（Ｅ）：
【化２】
2001516751.tif 000002
の１価基であり；
Ｇ1は、水素、Ｃ1−Ｃ18アルキル；Ｃ2−Ｃ18アルキル（これは、ＯＨ及び／又はフェニルで置換されている）；オキシル；ＯＨ；Ｃ2−Ｃ12シアノアルキル；Ｃ2−Ｃ12シアノアルコキシ；Ｃ1−Ｃ18アルコキシ；Ｃ5−Ｃ12シクロアルコキシ；Ｃ3−Ｃ8アルケニル；Ｃ3−Ｃ8アルキニル；Ｃ3−Ｃ8アルケニルオキシ；Ｃ7−Ｃ12フェニルアルキル；Ｃ7−Ｃ12フェニルアルキル（これは、ヒドロキシ、Ｃ1−Ｃ4アルキル及び／又はＣ1−Ｃ4アルコキシで置換されている）；Ｃ7−Ｃ15フェニルアルコキシ；Ｃ7−Ｃ15フェニルアルコキシ（これは、Ｃ1−Ｃ4アルキル及び／又はＣ1−Ｃ4アルコキシで置換されている）；又は
Ｇ1は、Ｃ1−Ｃ8アルカノイル；Ｃ3−Ｃ5アルケノイル；Ｃ1−Ｃ18アルカノイルオキシ；Ｃ3−Ｃ8エポキシアルキル；又は
Ｇ1は、結合基−Ｒ10−であり；
Ｇ2及びＧ4は、互いに独立して、Ｃ1−Ｃ18アルキル、Ｃ3−Ｃ8アルケニル、Ｃ5−Ｃ12シクロアルケニル、Ｃ5−Ｃ12シクロアルキル、又は６〜１２個の炭素原子の環式オリゴ炭化水素残基であり；
Ｇ3は、Ｇ2と同義であるか、又はＣ1−Ｃ8ヒドロキシアルキルであるか；あるいはＧ2とＧ3は、一緒になって、−（ＣＨ2）e−（ここで、ｅは、４〜１１の数である）；又は
Ｇ3は、結合基−Ｒ5−であり；
Ｇ5は、Ｇ4と同義であるか、又はＣ1−Ｃ8ヒドロキシアルキルであるか；あるいはＧ4とＧ5は、一緒になって、−（ＣＨ2）e−（ここで、ｅは、４〜１１の数である）；又は
Ｇ5は、結合基−Ｒ5−であり；
Ｇ6は、Ｇ4と同義であるか、又は水素であるか；あるいは
Ｇ6は、結合基（それは、直接結合又は−Ｒ5−である）であり；
Ｒ5は、Ｃ1−Ｃ8アルキレン；Ｃ1−Ｃ8アルキレン−ＣＯ−；又はＣ1−Ｃ8アルキレン（これは、ＯＨ若しくはＯＣＯＲ15で置換されている）であり；
Ｒ10は、Ｃ1−Ｃ8アルキレン又は−ＣＯ−若しくはＣ1−Ｃ8アルキレン−ＣＯ−であり；
Ｒ′10は、水素又はＣ1−Ｃ8アルキル若しくはＣ5−Ｃ12シクロアルキルであり；
Ｒ′14は、水素又はＣ1−Ｃ18アルキル；Ｃ5−Ｃ12シクロアルキル；Ｃ3−Ｃ18アルキル（これは、Ｏ又はＮＲ′10で中断されている）；Ｃ5−Ｃ12シクロアルキル（これは、Ｃ1−Ｃ4アルキルにより置換されている）；Ｃ2−Ｃ17アルケニル；Ｃ7−Ｃ15フェニルアルキル；Ｃ7−Ｃ15フェニルアルキル（これは、Ｃ1−Ｃ4アルキル又はＣ1−Ｃ4アルコキシにより置換されている）であり；
Ｒ15は、水素；Ｃ1−Ｃ17アルキル；Ｃ3−Ｃ50アルキル（これは、Ｏにより中断されている）；Ｃ5−Ｃ12シクロアルキル；Ｃ5−Ｃ12シクロアルキル（これは、Ｃ1−Ｃ4アルキルにより置換されている）；Ｃ2−Ｃ17アルケニル；フェニル；フェニル（これは、Ｃ1−Ｃ4アルキル、Ｃ1−Ｃ4アルコキシ及び／又はヒドロキシにより置換されている）；Ｃ7−Ｃ15フェニルアルキル；Ｃ7−Ｃ15フェニルアルキル（これは、Ｃ1−Ｃ4アルキル、Ｃ1−Ｃ4アルコキシ及び／又はヒドロキシにより置換されている）；又はＣ8−Ｃ12フェニルアルケニルであるが；但し
ｍが１であり、かつ式（Ｅ）の結合基がＧ3又はＧ5であるるとき、Ｚは、−Ｏ−、−Ｓ−、−ＳＯ−、−ＳＯ2−又は−ＮＲ′14−である）で示される化合物。
【請求項２】  式（Ａ）、（Ｂ）、（Ｃ）又は（Ｄ）：
【化３】
2001516751.tif 000003
（式中、
ｍは、Ｘの原子価であり、１〜８の範囲の整数であり；
ｘ及びｙは、それぞれ、ｘ＋ｙ＝ｍに従う１〜７の範囲からの整数であり；
Ｇは、＝Ｏであり、そしてＧ′は、Ｈ又はＲ′5であるか；又はＧ′は、＝Ｏであり、そしてＧは、Ｈ又はＲ′5であり；
Ｒ1は、水素、Ｃ1−Ｃ18アルキル；Ｃ2−Ｃ18アルキル（これは、ＯＨ及び／又はフェニルで置換されている）；オキシル；ＯＨ；Ｃ2−Ｃ12シアノアルキル；Ｃ2−Ｃ12シアノアルコキシ；Ｃ1−Ｃ18アルコキシ；Ｃ5−Ｃ12シクロアルコキシ；Ｃ3−Ｃ8アルケニル；Ｃ3−Ｃ8アルキニル；Ｃ3−Ｃ8アルケニルオキシ；Ｃ7−Ｃ12フェニルアルキル、Ｃ7−Ｃ12フェニルアルキル（これは、アルキル部分が、ヒドロキシルにより置換されている）；Ｃ7−Ｃ15フェニルアルキル（これは、フェニル環が、Ｃ1−Ｃ4アルキル及びＣ1−Ｃ4アルコキシから選択される、１、２又は３個の基により置換されている）；Ｃ7−Ｃ15フェニルアルコキシ；Ｃ7−Ｃ15フェニルアルコキシ（これは、フェニル環が、Ｃ1−Ｃ4アルキル及びＣ1−Ｃ4アルコキシから選択される、１、２又は３個の基により置換されている）であるか；又はＲ1は、Ｃ1−Ｃ8アルカノイル；Ｃ3−Ｃ5アルケノイル；Ｃ1−Ｃ8アルカノイルオキシ；グリシジルであり；
Ｒ2、Ｒ4、Ｒ5′、Ｒ6、Ｒ7、Ｒ8及びＲ9は、互いに独立して、Ｃ1−Ｃ18アルキル、Ｃ3−Ｃ8アルケニル、Ｃ5−Ｃ12シクロアルケニル、Ｃ5−Ｃ12シクロアルキル、Ｃ6−Ｃ12ビシクロアルケニル、又はＣ6−Ｃ12ビシクロアルキルであり；
Ｒ3は、Ｃ1−Ｃ8ヒドロキシアルキル、Ｃ1−Ｃ18アルキル又はＣ5−Ｃ12シクロアルキルであるか；あるいは
Ｒ2とＲ3、Ｒ4とＲ5′、Ｒ6とＲ7並びにＲ8とＲ9は、それらが結合する炭素原子と一緒になって、Ｃ5−Ｃ12シクロアルキレンを形成し；
Ｒ5は、Ｃ1−Ｃ8アルキレン；Ｃ1−Ｃ8アルキレン−ＣＯ−であり；そして式Ａにおいて、また直接結合を形成してもよく；そしてまたＯＨ若しくはＯＣＯＲ15で置換されたＣ1−Ｃ8アルキレンであってもよいが、但しこのＯＨ若しくはＯＣＯＲ15基は、直接に−Ｏ−若しくは−ＮＲ′14−に結合した炭素原子に結合せず；
Ｒ10は、Ｃ2−Ｃ8アルキレン；Ｃ1−Ｃ8アルキレン−ＣＯ−であり；
Ｒ′10は、水素又はＣ1−Ｃ8アルキル若しくはＣ5−Ｃ12シクロアルキルであり；
Ｗは、−Ｏ−又は−ＮＲ′14−であり、ｍが１でないとき、Ｗは直接結合であってもよく；
Ｘ′は、以下のＸと同義であり；
Ｙは、−Ｏ−又は−ＮＲ′14−であり；
Ｚ及びＺ′は、独立して、直接結合又はＹと同義であり；
ｍが１のとき、
Ｘは、Ｃ1−Ｃ18アルキル；Ｃ1−Ｃ18アルキル（これは、Ｃ1−Ｃ18アルコキシ、−Ｎ(Ｒ′14)2、−ＯＨ、−ＯＣＯＲ11、−ＣＯＲ11、−ＣＯＯＲ13、ＣＮ、−(Ｏ)i−Ｐ(＝Ｏ)i(ＯＲ111)2、Ｃ5−Ｃ12シクロアルコキシ、アリルオキシ、ハロゲン、−ＣＯＯＨ、−ＣＯＮ(Ｒ′14)2、フェノキシ及び／又はＣ1−Ｃ18アルキル−、Ｃ1−Ｃ18アルコキシ−若しくはハロ−置換フェノキシで置換されている）であるか；あるいはＸは、−Ｐ(＝Ｏ)i(ＯＲ111)2；Ｃ3−Ｃ30アルキル（これは、−Ｏ−で中断され、かつＯＨで置換されていてもよい）；Ｃ5−Ｃ12シクロアルキル；Ｃ3−Ｃ6アルケニル；グリシジル；Ｃ7−Ｃ15フェニルアルキル；Ｃ7−Ｃ15フェニルアルキル（これは、フェニル環が、Ｃ1−Ｃ4アルキル及びＣ1−Ｃ4アルコキシから選択される基により置換されている）；−ＳＯ2−Ｒ′11であるか；あるいは式（IIIａ）〜（IIIｅ）：
【化４】
2001516751.tif 000004
の基のいずれかであり；そして式Ａ及びＣにおいて、Ｘは、水素又はＣＮであってもよく；
ｉは、０又は１であり；
Ｈａｌは、ハロゲン又は残基Ｙ−Ｒ′14を表し；
Ｒ11は、水素；Ｃ1−Ｃ18アルキル；Ｃ1−Ｃ18アルコキシ、−Ｎ(Ｒ′14)2、−ＯＨ、−ＯＣＯＲ111、−ＣＯＲ111、ＣＮ、−(Ｏ)i−Ｐ(＝Ｏ)i(ＯＲ111)2、Ｃ5−Ｃ12シクロアルコキシ、アリルオキシ、ハロゲン、−ＣＯＯＨ、−ＣＯＮ(Ｒ′14)2、フェノキシ及び／又はＣ1−Ｃ18アルキル−、Ｃ1−Ｃ18アルコキシ−若しくはハロ−置換フェノキシ置換の、Ｃ1−Ｃ18アルキル；Ｃ3−Ｃ50アルキル（これは、Ｏにより中断されている）；Ｃ5−Ｃ12シクロアルキル；Ｃ5−Ｃ12シクロアルキル（これは、Ｃ1−Ｃ4アルキルにより置換されている）；Ｃ2−Ｃ17アルケニル；フェニル；フェニル（これは、Ｃ1−Ｃ4アルキル、Ｃ1−Ｃ4アルコキシ及びヒドロキシから選択される基により置換されている）；Ｃ7−Ｃ15フェニルアルキル；Ｃ7−Ｃ15フェニルアルキル（これは、フェニル環がＣ1−Ｃ4アルキル、Ｃ1−Ｃ4アルコキシ及びヒドロキシから選択される基の１、２又は３個により置換されている）；又はＣ8−Ｃ12フェニルアルケニルであり；
Ｒ′11は、フェニル；フェニル（これは、Ｃ1−Ｃ4アルキル、Ｃ1−Ｃ4アルコキシ及びヒドロキシから選択される基により置換されている）；ナフチル；Ｃ7−Ｃ15フェニルアルキル；Ｃ1−Ｃ17アルキル；Ｃ5−Ｃ12シクロアルキルであり；
Ｒ111は、Ｃ1−Ｃ12アルキル又はフェニル若しくはＣ7−Ｃ15アルキルフェニルであり；
Ｒ12は、直接結合、Ｃ1−Ｃ18アルキレン又はカルボニルであり；
Ｒ13は、Ｃ1−Ｃ18アルキル；Ｃ3−Ｃ18アルケニル；Ｃ5−Ｃ12シクロアルキル；Ｃ5−Ｃ12シクロアルキル（これは、Ｃ1−Ｃ4アルキルの１、２又は３個により置換されている）であり；
Ｒ14は、Ｃ1−Ｃ18アルキル；Ｃ5−Ｃ12シクロアルキル；Ｃ5−Ｃ12シクロアルキル（これは、Ｃ1−Ｃ4アルキルの１、２又は３個により置換されている）；Ｃ2−Ｃ17アルケニル；Ｃ2−Ｃ8ヒドロキシアルキル；Ｃ7−Ｃ15フェニルアルキル；Ｃ7−Ｃ15フェニルアルキル（これは、フェニル環が、Ｃ1−Ｃ4アルキル及びＣ1−Ｃ4アルコキシから選択される基の１、２又は３個により置換されている）であり；
Ｒ′14は、水素であるか、又はＲ14の定義の一つであり；
Ｒ16は、Ｃ1−Ｃ18アルキル又はＣ3−Ｃ8アルケニルであり；
Ｒ17は、水素又はＣ1−Ｃ4アルキルであり；
Ｒ′17は、上記のＲ13の意味を有するか、又は水素若しくは周期率表のＩ又はIIの主族の金属の一つの原子価であり；
ｍが２のとき、
Ｘは、Ｃ2−Ｃ18アルキレン； Ｃ4−Ｃ12アルキレン（これは、酸素、フェニレン、Ｃ5−Ｃ12シクロアルキレン、Ｓ若しくは−ＮＲ′14で中断され、及び／又はＯＨ、Ｃ1−Ｃ18アルコキシ、−Ｎ(Ｒ′14)2、−ＯＣＯＲ11、−ＣＯＲ11、−ＣＯＯＲ′17、ＣＮ、−(Ｏ)i−Ｐ(＝Ｏ)i(ＯＲ111)2、Ｃ5−Ｃ12シクロアルコキシ、アリルオキシ、ハロゲン、−ＣＯＯＨ、−ＣＯＮ(Ｒ′14)2、フェノキシ及び／又はＣ1−Ｃ18アルキル−、Ｃ1−Ｃ18アルコキシ−若しくはハロ−置換フェノキシで置換されている）であるか；あるいはＸは、−Ｐ(＝Ｏ)i(ＯＲ111)−；Ｃ5−Ｃ12シクロアルキレン；フェニレン；Ｃ5−Ｃ12シクロアルキレン−Ｃ1−Ｃ4アルキレン；フェニレン−Ｃ1−Ｃ4アルキレン；Ｃ2−Ｃ8アルキレン（これは、Ｃ5−Ｃ12シクロアルキレン及び／又はフェニレンにより中断されている）；Ｃ5−Ｃ12シクロアルキレン−Ｅ−Ｃ5−Ｃ12シクロアルキレン；−フェニレン−Ｅ−フェニレン−（ここで、Ｅは、Ｃ1−Ｃ4アルキレン、−Ｏ−、−Ｓ−、−ＳＯ2−，−ＣＯ−である）であるか；あるいはＸは、カルボニル若しくはＣ1−Ｃ7アルキレン−カルボニル又は式（IVａ）〜（IVｉ）：
【化５】
2001516751.tif 000005
（式中、
ｉは、０又は１であり；
Ｒ18は、直接結合；Ｃ1−Ｃ22アルキレン；Ｃ2−Ｃ22アルキレン（これは、酸素、フェニレン、Ｃ5−Ｃ12シクロアルキレン、硫黄、−ＮＲ′14で中断され、及び／又はＯＨ、Ｃ1−Ｃ18アルコキシ、−Ｎ(Ｒ′14)2、−ＯＣＯＲ11、−ＣＯＲ11、−ＣＯＯＲ13、ＣＮ、−(Ｏ)i−Ｐ(＝Ｏ)i(ＯＲ111)2、Ｃ5−Ｃ12シクロアルコキシ、アリルオキシ、ハロゲン、−ＣＯＯＨ、−ＣＯＮ(Ｒ′14)2、フェノキシ及び／又はＣ1−Ｃ18アルキル−、Ｃ1−Ｃ18アルコキシ−若しくはハロ−置換フェノキシで置換されている）；Ｃ2−Ｃ8アルケニレンであるか；あるいはＲ18は、Ｃ2−Ｃ8アルケニレン（これは、Ｒ21で置換されている）；Ｃ2−Ｃ8アルキレン（これは、Ｒ21で置換されている）；Ｃ5−Ｃ12シクロアルキレン；Ｃ5−Ｃ12シクロアルケニレン；又はフェニレンであり；
Ｒ19は、Ｃ2−Ｃ12アルキレン；Ｃ4−Ｃ12アルキレン（これは、酸素、フェニレン及び／又はＣ5−Ｃ12シクロアルキレンにより置換されている）；Ｃ5−Ｃ12シクロアルキレン；ビス(Ｃ5−Ｃ12シクロアルキレン)−Ｃ1−Ｃ4アルキレンであり；
Ｒ20は、Ｃ2−Ｃ12アルキレン；Ｃ4−Ｃ18アルキレン（これは、Ｏ、−ＮＲ′14、Ｓ、Ｃ5−Ｃ12シクロアルキレン又は／及びフェニレンで中断されている）；又はＲ20は、Ｃ5−Ｃ12シクロアルキレン；若しくはフェニレンであり；
Ｒ′20は、Ｃ2−Ｃ12アルキレン；Ｃ5−Ｃ12シクロアルキレン；フェニレン；そしてｉが１であるとき、Ｒ′20は、更にメチレンを含み；
Ｒ21は、フェニル；フェニル（これは、Ｃ1−Ｃ4アルキル、Ｃ1−Ｃ4アルコキシ、ジ(Ｃ1−Ｃ4アルキル)アミノ、ニトロ、ヒドロキシから選択される、１、２又は３個の基により置換されている）；又はナフチル；又はナフチル（Ｃ1−Ｃ4アルキル、Ｃ1−Ｃ4アルコキシ、ジ(Ｃ1−Ｃ4アルキル)アミノ、ニトロにより置換されている）；あるいはＲ21は、チエニル；フェノキシフェニル；チオフェン−２−イル；フェニルチオフェニル；ベンゾ〔ｂ〕チオフェン−２−イル；ベンゾフラン−２−イル；９Ｈ−フルオレニル；ビフェニリル；１０−(Ｃ1−Ｃ8アルキル)−１０Ｈ−フェノチアジニルであり；そして結合基Ｚ又はＷは、直接結合であるとき、Ｘは、Ｃ1アルキレン又はＹでもよく；
ｍが３であるとき、
Ｘは、Ｃ3−Ｃ18アルカントリル；Ｐ；ＰＯ；Ｃ4−Ｃ18トリアシル；１，３，５−トリアジン−２，４，６−トリル；又は式（VIIａ）若しくは（VIIｂ）：
【化６】
2001516751.tif 000006
の基、又は式（VIIｃ）：
【化７】
2001516751.tif 000007
（式中、
Ｅ1、Ｅ2及びＥ3は、互いに独立して、式（IVｆ）の基である）で示される三価の基であり：
ｍが４であるとき、
Ｘは、Ｃ5−Ｃ18アルカンテトリル；Ｃ6−Ｃ18テトラアシル；又は式（VIIIｂ）：
【化８】
2001516751.tif 000008
（式中、
Ｚ1及びＺ2は、それぞれ互いに独立して、１，３，５−トリアジン−２，４，６−トリイル又は式（VIIIｃ）若しくは（VIIId）：
【化９】
2001516751.tif 000009
の基であり、そして式（VIIIｃ−ｄ）は、式（VIIIｂ）の窒素原子へトリアジン環からの結合を介して結合している）であり；
ｍが５であるとき、
Ｘは、Ｃ5−Ｃ18アルカンペンタイル；又はＣ7−Ｃ18ペンタアシルであり；
ｍが６であるとき、
Ｘは、Ｃ9−Ｃ18ヘキサアシル；又は式（IXａ）若しくは（IXｂ）：
【化１０】
2001516751.tif 000010
（式中、
Ｚ1、Ｚ2及びＺ3は、互いに独立して、１，３，５−トリアジン−２，４，６−トリイル又は式（VIIIｃ）若しくは（VIIIｄ）の基（これは、式（IXａ）の窒素原子へトリアジン環からの結合を介して結合している）である）の６価残基であり；
ｍが７であるとき、
Ｘは、Ｃ10−Ｃ18ヘプタアシルであり；
ｍが８であるとき、
Ｘは、Ｃ9−Ｃ18オクタアシル；又は式（Xａ）若しくは（Xｂ）：
【化１１】
2001516751.tif 000011
（式中、
Ｚ1、Ｚ2、Ｚ3及びＺ4は、互いに独立して、１，３，５−トリアジン−２，４，６−トリイル又は式（VIIIｃ）若しくは（VIIIｄ）の基（これは、式（Ｘａ）の窒素原子へトリアジン環からの結合を介して結合している）である）の８価残基であり；そして
Ｄは、式（XIａ）〜（XIｖ）：
【化１２】
2001516751.tif 000012
【化１３】
2001516751.tif 000013
【化１４】
2001516751.tif 000014
【化１５】
2001516751.tif 000015
（式中、
Ｇ″は、水素又は＝Ｏであり；
Ｒ′は、Ｃ1−Ｃ18アルキル又はシクロヘキシル、特にメチル又はtert．−ブチルであり；
Ｒ″は、tert．Ｃ4−Ｃ18アルキル又はシクロヘキシル、特にtert．−ブチルであり；
Ｔ1及びＴ2は、独立して、Ｈ；Ｃ1−Ｃ18アルキル；フェニル−Ｃ1−Ｃ4アルキル；又はナフチル若しくはフェニル（これは、非置換又はハロゲン若しくはＣ1−Ｃ4アルキルにより置換されている）；あるいはＴ1とＴ2は、結合炭素と一緒になって、Ｃ5−Ｃ12シクロアルカン環を形成し；
Ｔ3は、Ｃ2−Ｃ8アルカントリイル、特に下記式：
【化１６】
2001516751.tif 000016
（式中、
Ｘ7は、Ｃ1−Ｃ5アルキルである）のいずれかの基であり；
Ｔ4は、Ｈ、Ｃ1−Ｃ18アルコキシ、Ｃ3−Ｃ8アルケニルオキシ又はベンジルオキシであり、そして
Ｔ5は、Ｔ4と同義であるか、又はＴ4とＴ5は、一緒になって、−Ｏ−Ｃ2−Ｃ8アルキレン−Ｏ−であり、そして
Ｔ4がＨのとき、Ｔ5は、更に−ＯＨ及び−ＮＲ′10−ＣＯＲ′11（ここで、Ｒ′11は、Ｃ1−Ｃ18アルキル、Ｃ2−Ｃ4アルケニル又はフェニルである）であり；
Ｘ1は、式(XIｄ)の基であり；そして
Ｘ2は、Ｘ1と同義であるか又はＣ1−Ｃ18アルコキシ若しくは−Ｎ(Ｒ′14)2であり；
Ｘ3は、−ＮＲ′10−、−ＮＸ6−、−Ｏ−、又は式−Ｏ−ＣＯ−Ｘ5−ＣＯ−Ｏ−Ｘ6（ここで、Ｘ5は、Ｃ1−Ｃ12アルカントリイルであり、そしてＸ6は、下記式：
【化１７】
2001516751.tif 000017
の基である）の基であり；
Ｘ8は、Ｈ、Ｃ1−Ｃ18アルキル、Ｃ7−Ｃ11フェニルアルキル、Ｃ2−Ｃ6アルコキシアルキル又はＣ5−Ｃ12シクロアルキルであり；
Ｘ10は、Ｈ、Ｃｌ、Ｃ1−Ｃ4アルキル、Ｃ1−Ｃ4アルコキシであり；
Ｘ11は、Ｃ1−Ｃ12アルキルであり；
Ｘ′11は、Ｈ又はＣ1−Ｃ12アルキルであり；
Ｘ12は、Ｈ又はＯＨであり；
Ｘ13は、Ｈ、Ｃｌ、ＯＨ又はＣ1−Ｃ18アルコキシであり；
Ｘ′13は、Ｈ、Ｃｌ又はＣ1−Ｃ4アルキルであり；
Ｘ14は、Ｈ、Ｃｌ、ＯＨ又はＣ1−Ｃ18アルコキシであり；
Ｘ15及びＸ17は、独立して、Ｈ、ＯＨ、Ｃｌ、ＣＮ、フェニル、Ｃ1−Ｃ6アルキル、Ｃ1−Ｃ18アルコキシ、Ｃ4−Ｃ22アルコキシ（これは、Ｏで中断され、及び／又はＯＨで置換されている）、又はＣ2−Ｃ20アルカノイルアミノ若しくはＣ7−Ｃ14フェニルアルコキシであり； 
Ｘ16及びＸ18は、独立して、Ｈ、ＯＨ、Ｃｌ、Ｃ1−Ｃ6アルキル又はＣ1−Ｃ6アルコキシであり；
Ｘ21、Ｘ22及びＸ23は、独立して、Ｈ、Ｃ1−Ｃ18アルキル又はＣ1−Ｃ18アルコキシであり；
Ｘ24及びＸ25は、独立して、Ｈ、又はＣ1−Ｃ8アルキルであり；そして
Ｘ26は、Ｈ、Ｃ1−Ｃ8アルキル、フェニル、Ｃ7−Ｃ11フェニルアルキル、シクロヘキシル又は−Ｎ(Ｒ′14)2であり；そして
Ｘ25がＸ26に対してオルト位であるならば、Ｘ25は、Ｘ26及びそれらが結合する炭素原子と一緒になって、フェニル環を形成する）で示される、請求項１記載の化合物。
【請求項３】  式（Ｉ）、（II）又は（III）：
【化２３】
2001516751.tif 000018
（式中、
ｍは、Ｘの原子価であり、かつ１〜６の範囲の整数であり；
ｘ及びｙは、それぞれ、ｘ＋ｙ＝ｍに従う１〜５の範囲からの整数であり；
Ｒ1は、水素、Ｃ1−Ｃ18アルキル；オキシル；ＯＨ；ＣＨ2ＣＮ；Ｃ1−Ｃ18アルコキシ；Ｃ5−Ｃ12シクロアルコキシ；Ｃ3−Ｃ8アルケニル；Ｃ3−Ｃ8アルキニル；Ｃ7−Ｃ12フェニルアルキル；Ｃ7−Ｃ15フェニルアルキル（これは、フェニル環が、Ｃ1−Ｃ4アルキル及びＣ1−Ｃ4アルコキシから選択される、１、２又は３個の基により置換されている）；Ｃ7−Ｃ15フェニルアルコキシ；Ｃ7−Ｃ15フェニルアルコキシ（これは、フェニル環が、Ｃ1−Ｃ4アルキル及びＣ1−Ｃ4アルコキシから選択される、１、２又は３個の基により置換されている）であるか；又はＲ1は、Ｃ1−Ｃ8アルカノイル；Ｃ3−Ｃ5アルケノイル；Ｃ1−Ｃ8アルカノイルオキシ；グリシジル；又は基−ＣＨ2ＣＨ（ＯＨ）−Ｇ（ここで、Ｇは、水素、メチル又はフェニルである）であり；
Ｒ2、Ｒ3、Ｒ4、Ｒ6、Ｒ7、Ｒ8及びＲ9は、互いに独立して、Ｃ1−Ｃ18アルキル又はＣ5−Ｃ12シクロアルキルであるか；又は
Ｒ2とＲ3、Ｒ6とＲ7並びにＲ8とＲ9は、それらが結合する炭素原子と一緒になって、Ｃ5−Ｃ12シクロアルキレンを形成し；
Ｒ5は、Ｃ1−Ｃ4シクロアルキレンであり；
Ｒ′10は、水素又はＣ1−Ｃ4アルキルであり；
ｍが１のとき、
Ｘは、Ｃ1−Ｃ18アルキル；Ｃ5−Ｃ12シクロアルキル；Ｃ3−Ｃ6アルケニル；グリシジル；Ｃ7−Ｃ15フェニルアルキル；Ｃ7−Ｃ15フェニルアルキル（これは、フェニル環が、Ｃ1−Ｃ4アルキル及びＣ1−Ｃ4アルコキシから選択される基の１、２又は３個により置換されている）；あるいは式（IIIａ）〜（IIIｄ）：
【化２４】
2001516751.tif 000019
（式中、
Ｒ11は、水素；Ｃ1−Ｃ17アルキル；Ｃ5−Ｃ12シクロアルキル；Ｃ5−Ｃ12シクロアルキル（これは、Ｃ1−Ｃ4アルキルの１、２又は３個により置換されている）；Ｃ2−Ｃ17アルケニル；フェニル；フェニル（これは、Ｃ1−Ｃ4アルキル、Ｃ1−Ｃ4アルコキシ及びヒドロキシから選択される基の１、２又は３個により置換されている）；Ｃ7−Ｃ15フェニルアルキル；Ｃ7−Ｃ15フェニルアルキル（これは、フェニル環がＣ1−Ｃ4アルキル、Ｃ1−Ｃ4アルコキシ及びヒドロキシから選択される基の１、２又は３個により置換されている）；又はＣ8−Ｃ12フェニルアルケニルであり；
Ｒ12は、直接結合、Ｃ1−Ｃ18アルキレン又はカルボニルであり；
Ｒ13は、Ｃ1−Ｃ18アルキル；Ｃ3−Ｃ18アルケニル；Ｃ5−Ｃ12シクロアルキル；Ｃ5−Ｃ12シクロアルキル（これは、Ｃ1−Ｃ4アルキルの１、２又は３個により置換されている）であり；
Ｒ14は、Ｃ1−Ｃ18アルキル；Ｃ5−Ｃ12シクロアルキル；Ｃ5−Ｃ12シクロアルキル（これは、Ｃ1−Ｃ4アルキルの１、２又は３個により置換されている）；Ｃ2−Ｃ17アルケニル；Ｃ7−Ｃ15フェニルアルキル；Ｃ7−Ｃ15フェニルアルキル（これは、フェニル環が、Ｃ1−Ｃ4アルキル及びＣ1−Ｃ4アルコキシから選択される基の１、２又は３個により置換されている）であり；
Ｒ15は、Ｃ1−Ｃ4アルキレン；Ｃ2−Ｃ4オキサアルキレン；Ｃ5−Ｃ12シクロアルキレン；Ｃ5−Ｃ12シクロアルケニレン；フェニレンであるか；又は式−ＣＨ2−ＣＨ（Ｒ16）−若しくは−ＣＨ＝Ｃ（Ｒ17）−であり；
Ｒ16は、Ｃ1−Ｃ18アルキル又はＣ3−Ｃ8アルケニルであり；
Ｒ17は、水素又はＣ1−Ｃ4アルキルであり；
Ｒ′17は、上記のＲ13の意味を有するか、又は水素若しくは周期律表のＩ又はIIの主族の金属の一つの原子価であり；
ｍが２であるとき、
Ｘは、Ｃ2−Ｃ12アルキレン；Ｃ4−Ｃ12アルキレン（これは、酸素、フェニレン及び／又はＣ5−Ｃ12シクロアルキレンにより中断されている）； Ｃ5−Ｃ12シクロアルキレン；ビス(Ｃ5−Ｃ12シクロアルキレン)−Ｃ1−Ｃ4アルキレンであるか；あるいは式（IVａ）〜（IVｆ）：
【化２５】
2001516751.tif 000020
（式中、
ｔは、ゼロ又は１〜７の整数であり；
ｕ及びｖは、互いに独立して、１〜４の範囲の整数であり；
Ｒ18は、直接結合；Ｃ1−Ｃ22アルキレン；Ｃ2−Ｃ8アルケニレン；シクロへキシレン；シクロヘキセニレン又はフェニレンであり；
Ｒ19は、Ｃ2−Ｃ12アルキレン；Ｃ4−Ｃ12アルキレン（これは、酸素、フェニレン及び／又はＣ5−Ｃ12シクロアルキレンで中断されている）；Ｃ5−Ｃ12シクロアルキレン；ビス(Ｃ5−Ｃ12シクロアルキレン)−Ｃ1−Ｃ4アルキレンであり；
Ｒ20は、Ｃ2−Ｃ12アルキレン；Ｃ5−Ｃ12シクロアルキレン；又はフェニレンであり；
Ｒ21は、フェニル；フェニル（これは、Ｃ1−Ｃ4アルキル、Ｃ1−Ｃ4アルコキシ、ジ(Ｃ1−Ｃ4アルキル)アミノ、ニトロ及びヒドロキシから選択される基の１、２又は３個により置換されている）；又はナフチル；若しくはナフチル（これは、Ｃ1−Ｃ4アルキル、Ｃ1−Ｃ4アルコキシ、ジ(Ｃ1−Ｃ4アルキル)アミノ及び ニトロから選択される基により置換されている）；又は
Ｒ21は、チエニル；フェノキシフェニル；フェニルチオフェニル；ベンゾ〔ｂ〕チオフェン−２−イル；ベンゾフラン−２−イル；９Ｈ−フルオレニル；ビフェニル；１０−(Ｃ1−Ｃ8アルキル)−１０Ｈ−フェノチアジニル；又はフェニル（これは、式（Ｖ）又は（VI）：
【化２６】
2001516751.tif 000021
の基の１若しくは２個により置換されている）であり；
ｍが３のとき、
Ｘは、脂肪族Ｃ4−Ｃ18トリアシル、芳香族Ｃ9−Ｃ18トリアシル又は式（VII）：
【化２７】
2001516751.tif 000022
（式中、
Ｒ22、Ｒ23及びＲ24は、互いに独立して、Ｃ1−Ｃ7アルキレンである）の基であり；
ｍが４のとき、
Ｘは、脂肪族Ｃ6−Ｃ18テトラアシル若しくは芳香族Ｃ10−Ｃ18テトラアシル又は式（VIII）：
【化２８】
2001516751.tif 000023
の基であり；
ｍが５のとき、
Ｘは、脂肪族Ｃ7−Ｃ18ペンタアシル又は芳香族Ｃ10−Ｃ18ペンタアシルであり；
ｍが６のとき、
Ｘは、脂肪族Ｃ9−Ｃ18ヘキサアシル又は芳香族Ｃ12−Ｃ18ヘキサアシルである）で示される、請求項１記載の化合物。
【請求項４】  Ａ）光、酸素及び／又は熱による損傷に敏感な有機材料、及びＢ）安定剤として、請求項１記載の式（Ｆ）の化合物を含む組成物。
【請求項５】  式（XIV）：
【化３５】
2001516751.tif 000024
（式中、
Ｇ1は、水素；Ｃ1−Ｃ18アルキル；Ｃ2−Ｃ18ヒドロキシアルキル；オキシル；ＯＨ；Ｃ2−Ｃ12シアノアルキル；Ｃ2−Ｃ12シアノアルコキシ；Ｃ1−Ｃ18アルコキシ；Ｃ5−Ｃ12シクロアルコキシ；Ｃ3−Ｃ8アルケニル；Ｃ3−Ｃ8アルキニル；Ｃ3−Ｃ8アルケニルオキシ；Ｃ7−Ｃ12フェニルアルキル；Ｃ7−Ｃ12フェニルアルキル（これは、ヒドロキシ、Ｃ1−Ｃ4アルキル及び／又はＣ1−Ｃ4アルコキシにより置換されている）；Ｃ7−Ｃ15フェニルアルコキシ；Ｃ7−Ｃ15フェニルアルコキシ（これは、Ｃ1−Ｃ4アルキル及び／又はＣ1−Ｃ4アルコキシで置換されている）；あるいはＧ1は、Ｃ1−Ｃ8アルカノイル；Ｃ3−Ｃ5アルケノイル；Ｃ1−Ｃ18アルカノイルオキシ；Ｃ3−Ｃ8エポキシアルキルであり；
Ｇ2、Ｇ3、Ｇ4及びＧ5は、互いに独立して、Ｃ1−Ｃ18アルキル、Ｃ5−Ｃ12シクロアルケニル、Ｃ6−Ｃ12ビシクロアルキル；Ｃ6−Ｃ12ビシクロアルケニル又はＣ5−Ｃ12シクロアルキルであり；
Ｇ6は、Ｃ1−Ｃ18アルキル；Ｃ1−Ｃ18アルキル（これは、Ｏで中断されているか、又はＣ5−Ｃ12シクロアルキル、フェニル、ＯＨ、フェノキシ、Ｃ1−Ｃ18アルコキシ、Ｃ5−Ｃ12シクロアルコキシ、ハロゲン、ＣＯＯＲ15又は−Ｏ−ＣＯＲ15で置換されている）；あるいはここでＧ6は、Ｃ2−Ｃ18アルケニル；フェニル；フェニル（これは、アルキル又はＯＨで置換されている）、Ｃ5−Ｃ12シクロアルキルであり；
Ｍは、負電荷又はアルカリ金属であり；
Ｒ15は、水素；Ｃ1−Ｃ17アルキル；Ｃ5−Ｃ12シクロアルキル；Ｃ5−Ｃ12シクロアルキル（これは、Ｃ1−Ｃ4アルキルで置換されている）；Ｃ2−Ｃ17アルケニル；フェニル；フェニル（これは、Ｃ1−Ｃ4アルキル、Ｃ1−Ｃ4アルコキシ及び／又はヒドロキシにより置換されている）；Ｃ7−Ｃ15フェニルアルキル；Ｃ7−Ｃ15フェニルアルキル（これは、Ｃ1−Ｃ4アルキル、Ｃ1−Ｃ4アルコキシ及び／又はヒドロキシにより置換されている）；あるいはＣ8−Ｃ12フェニルアルケニルである）で示される化合物。
【請求項６】  一つの基−Ｒ10−ＺＨ又は−Ｒ5−ＺＨを含有する、式（Ｅ′）：
【化３６】
2001516751.tif 000025
（式中、
Ｇ1は、水素；Ｃ1−Ｃ18アルキル；Ｃ2−Ｃ18ヒドロキシアルキル；オキシル；ＯＨ；Ｃ2−Ｃ12シアノアルキル；Ｃ2−Ｃ12シアノアルコキシ；Ｃ1−Ｃ18アルコキシ；Ｃ5−Ｃ12シクロアルコキシ；Ｃ3−Ｃ8アルケニル；Ｃ3−Ｃ8アルキニル；Ｃ3−Ｃ8アルケニルオキシ；Ｃ7−Ｃ12フェニルアルキル；Ｃ7−Ｃ12フェニルアルキル（これは、ヒドロキシ、Ｃ1−Ｃ4アルキル及び／又はＣ1−Ｃ4アルコキシにより置換されている）；Ｃ7−Ｃ15フェニルアルコキシ；Ｃ7−Ｃ15フェニルアルコキシ（これは、Ｃ1−Ｃ4アルキル及び／又はＣ1−Ｃ4アルコキシにより置換されている）；あるいはＧ1は、Ｃ1−Ｃ8アルカノイル；Ｃ3−Ｃ5アルケノイル；Ｃ1−Ｃ18アルカノイルオキシ；Ｃ3−Ｃ8エポキシアルキルであり；あるいは
Ｇ1は、基−Ｒ10−ＺＨであり；
Ｇ2及びＧ4は、互いに独立して、Ｃ1−Ｃ18アルキル、Ｃ5−Ｃ12シクロアルケニル、Ｃ6−Ｃ12ビシクロアルキル；Ｃ6−Ｃ12ビシクロアルケニル又はＣ5−Ｃ12シクロアルキルであり；
Ｇ3は、Ｇ2と同義であるか、又はＣ1−Ｃ8ヒドロキシアルキルであるか；又はＧ2とＧ3は、一緒になって、(ＣＨ2)ｅ（ここで、ｅは、４〜１１の数である）であるか；又は
Ｇ3は、基−Ｒ5−ＺＨであり；
Ｇ5は、Ｇ4と同義であるか、又はＣ1−Ｃ8ヒドロキシアルキルであるか；又はＧ4とＧ5は、一緒になって、(ＣＨ2)ｅ（ここで、ｅは、４〜１１の数である）であり；そして
Ｇ1が水素でないとき、Ｇ5は、基−Ｒ5−ＺＨであることもでき；
Ｇ6は、Ｇ4と同義であるか、又は水素であるか；又は
Ｇ6は、基−Ｒ5−ＺＨであり；
Ｒ5は、Ｃ1−Ｃ8アルキレン；Ｃ1−Ｃ8アルキレン−ＣＯ−；又はＣ1−Ｃ8アルキレン（これは、ＯＨ又はＯＣＯＲ15により置換されている）であり；
Ｒ10は、Ｃ1−Ｃ8アルキレン又はＣ1−Ｃ8アルキレン−ＣＯ−であり；
Ｒ15は、水素；Ｃ1−Ｃ17アルキル；Ｃ3−Ｃ50アルキル（これは、Ｏにより中断されている）；Ｃ5−Ｃ12シクロアルキル；Ｃ5−Ｃ12シクロアルキル（これは、Ｃ1−Ｃ4アルキルにより置換されている）；Ｃ2−Ｃ17アルケニル；フェニル；フェニル（これは、Ｃ1−Ｃ4アルキル、Ｃ1−Ｃ4アルコキシ及び／又は ヒドロキシにより置換されている）；Ｃ7−Ｃ15フェニルアルキル；Ｃ7−Ｃ15フェニルアルキル（これは、Ｃ1−Ｃ4アルキル、Ｃ1−Ｃ4アルコキシ及び／又は ヒドロキシにより置換されている）；又はＣ8−Ｃ12フェニルアルケニルであり；
Ｒ′14は、水素、Ｃ1−Ｃ18アルキル；Ｃ5−Ｃ12シクロアルキル；Ｃ5−Ｃ12シクロアルキル（これは、Ｃ1−Ｃ4アルキルにより置換されている）；Ｃ2−Ｃ17アルケニル；Ｃ7−Ｃ15フェニルアルキル；Ｃ7−Ｃ15フェニルアルキル（これは、Ｃ1−Ｃ4アルキル又はＣ1−Ｃ4アルコキシにより置換されている）；そして
ＺＨは、−ＯＨ、−ＮＨＲ′14、−ＳＨ、オキシラニル、又はハロゲンである）で示される化合物、又は化合物３−メチル−３−エチル−５−ヒドロキシメチル−５−エチル−２−モルホリノン。